(57)【要約】【課題】  二重床の床配線システムにおいて、フロアパネルを基礎床の上方の高い位置に配置する必要がなく、配線路がほぼ密閉されると共に配線路の位置が容易に分かり、配線を変更したりする作業を容易に行うことが可能となるものであって、これらのことを既存の床配線システムの支持部材及びフロアパネルを用いて新たに製作する部材を最小限に抑えつつ達成することのできる床配線システムを提供する。【解決手段】  基礎床Ｆ上に高さ調整可能な支持部材１を立設すると共に該支持部材１にフロアパネル２の角部２２ａを載置する床配線システムである。上方に開口して内部に配線が収容される収容体３と、該収容体３の上方への開口を隠蔽して上面４０がフロアパネル２の上面２ａと略面一となるカバー４とを支持部材１間に架設することで隣り合うフロアパネル２間に配線路５を形成した。【選択図】        図１
2004293288.tif 000002
【特許請求の範囲】
【請求項１】
基礎床上に高さ調整可能な支持部材を立設すると共に該支持部材にフロアパネルの角部を載置して主体が構成される床配線システムにおいて、上方に開口して内部に配線が収容される収容体と、該収容体の上方への開口を隠蔽して上面がフロアパネルの上面と略面一となるカバーとを前記支持部材間に架設することで隣り合うフロアパネル間に配線路を形成して成ることを特徴とする床配線システム。
【請求項２】
フロアパネルの基礎床からの高さ位置が最下限となるように前記フロアパネルを支持する支持部材の高さ調整を行った状態で、前記支持部材に架設される収容体の下面が隙間を介して基礎床の上方に位置するように形成して成ることを特徴とする請求項１記載の床配線システム。
【請求項３】
カバーを支持部材の上端部に架設すると共に、収容体を支持部材の前記カバーが架設される部分よりも下方に架設して成ることを特徴とする請求項１又は２記載の床配線システム。
【請求項４】
フロアパネルのフランジ部が支持部材の上端部に載置されると共にフロアパネルのパネル本体の角部を逃がす凹部を支持部材に形成したものにおいて、前記支持部材の凹部の底面に収容体を載置して成ることを特徴とする請求項３記載の床配線システム。
【請求項５】
支持部材の上端部に該支持部材に載置されるフロアパネル及びカバーの上面が略面一となるような段差部を設けて成ることを特徴とする請求項１乃至４記載の床配線システム。
【請求項６】
支持部材の上端部に上記段差部を形成した緩衝材を設けて成ることを特徴とする請求項５記載の床配線システム。
【請求項７】
カバーの周縁部に部分的に切欠部を設けて成ることを特徴とする請求項１乃至６のいずれかに記載の床配線システム。
【請求項８】
カバーの周縁部を部分的に下方に折り曲げて折曲部を形成すると共に、カバーの上面の折曲部が形成されて切欠された部分を上記切欠部として成ることを特徴とする請求項７記載の床配線システム。
【請求項９】
収容体の内面に載置される載置部と、該載置部から連設される隔壁部とで構成されて配線路を仕切るセパレータを設けて成ることを特徴とする請求項１乃至８のいずれかに記載の床配線システム。
【請求項１０】
隔壁部の上端部のカバーの下面と当接する部分に緩衝材を配設して成ることを特徴とする請求項９記載の床配線システム。
【請求項１１】
セパレータに嵌合部を設けると共に、収容体に前記嵌合部が嵌合する被嵌合部を設けて成ることを特徴とする請求項９又は１０記載の床配線システム。
【請求項１２】
セパレータを収容体とカバーとの間を上下に仕切るように支持部材間に略水平に架設して成ることを特徴とする請求項３乃至９のいずれかに記載の床配線システム。
【請求項１３】
セパレータを支持部材に形成されたフロアパネルのパネル本体の角部を逃がす凹部の底面に載置して成ることを特徴とする請求項１２記載の床配線システム。
【請求項１４】
セパレータの周縁部に湾曲部を設けて成ることを特徴とする請求項１２又は１３記載の床配線システム。
【請求項１５】
隣り合うフロアパネル間に配設される収容体及びカバーを、その収容体及びカバーの四個の角部が該収容体及びカバーに隣接するフロアパネルの角部が載置される四個の支持部材にそれぞれ載置される直線部用の収容体及びカバーとして成ることを特徴とする請求項１乃至１４のいずれかに記載の床配線システム。
【請求項１６】
収容体に配線を側方に引出し可能とする打抜部を設けて成ることを特徴とする請求項１乃至１５のいずれかに記載の床配線システム。
【請求項１７】
配線路の交差部に配置される収容体及びカバーを、その四個の角部が交差部の四隅に位置する四個のフロアパネルの角部が載置される支持部材にそれぞれ載置される交差部用の収容体及びカバーとして成ることを特徴とする請求項１乃至１４のいずれかに記載の床配線システム。
【請求項１８】
直線部用の収容体及びカバーと交差部用の収容体及びカバーとを適宜配して配線路を形成して成ることを特徴とする請求項１乃至１７記載の床配線システム。
【請求項１９】
収容体及びカバーの隙間を閉塞して複数の収容体及びカバーからなる配線路を密閉するため支持部材に載置される隙間閉塞部材を設けて成ることを特徴とする請求項１乃至１８のいずれかに記載の床配線システム。
【請求項２０】
収容体の端部に該収容体の端部開口を塞ぐエンドカバーを取り付けて成ることを特徴とする請求項１乃至１９のいずれかに記載の床配線システム。
【発明の詳細な説明】
【技術分野】
【０００１】
本発明は、基礎床の上方にフロアパネルを支持部材を介して敷設して床面を形成し、床面下に配線を施す床配線システムに関するものである。
【背景技術】
【０００２】
従来より、床スラブ等からなる基礎床の上方にフロアパネルを敷設して新たな床面を形成し、床面下の空間に配線を施す二重床の床配線システムが用いられている。
【０００３】
フロアパネルは通常は平面視正方形状をしたもので、フロアパネルの角部の下面からそれぞれ下方に脚部を高さ調整可能に突設し、この脚部を基礎床上に載置して複数のフロアパネルを隙間なく基礎床の上方に敷設して新たな床面を形成したり、あるいは、基礎床上に複数の高さ調整可能な支持部材を立設し、この支持部材にフロアパネルを載置して複数のフロアパネルを隙間なく基礎床の上方に敷設して新たな床面を形成して二重床が構成される。
【０００４】
このような床配線システムにおいては、基礎床上に配線を単独で載置した場合には配線が捩れたり火災の際に全く防火できないため、図２３に示すように、フロアパネル２の下方にダクト部材Ｄを配置してこのダクト部材Ｄに配線５０を収容するようにしていた。図２３中のＦは基礎床、１は支持部材、Ｄ１はダクト部材Ｄの蓋を示す。
【０００５】
ところが、このようなダクト部材Ｄを配置するものにあっては、ダクト部材Ｄはフロアパネル２の下面の下方に配置されており、ダクト部材Ｄの配置スペースを確保すべくフロアパネル２を基礎床Ｆの上方の高い位置に敷設する必要があり、さらに、隙間なく敷設された複数のフロアパネル２のうちのどのフロアパネル２の下側にダクト部材Ｄが配置されているのかが一見して分からないため、ダクト部材Ｄ内の配線５０を変更したりする際に取り外す必要のないフロアパネル２まで取り外してしまって手間がかかるものであった。
【０００６】
そこで、このような問題点を一挙に解決し得るものとして、フロアパネル間に配線路を配設したものが存在する（例えば特許文献１，特許文献２，特許文献３，特許文献４参照）。これは、隣接するフロアパネルを離間して配設し、このフロアパネル間に配線路を配設するものである。
【０００７】
フロアパネル間には、配線路の主体となる収容部を架設すると共に、収容部の上方に上面がフロアパネル上面と面一となるカバーを架設してあり、収容部や配線を隠蔽すると共にカバー自身で床面の一部を形成している。これにより、フロアパネルを基礎床の上方の高い位置に敷設する必要がなくなり、また、カバーは通常はフロアパネルと異なる形状に形成されるため、床面を見た際に一見してカバーが判別できて配線路の位置が分かるようになるものである。
【０００８】
しかしながら、上述した特許文献１乃至４に示すものは、配線路をなす収容部及びカバーをフロアパネル間に架設してあり、この収容部及びカバーが架設されるフロアパネルは該収容部及びカバーを架設するための架設部を設けた専用のフロアパネルであって、収容部及びカバーが架設されないフロアパネルとは別種に形成してある。このため、既存の支持部材とフロアパネルとを用いて特許文献１乃至４に示すような床配線システムを構築する場合、収容部とカバーだけでなく収容部及びカバーが架設されるフロアパネルも新たに製作する必要があった。
【特許文献１】特開平３−２３５６１１号公報
【特許文献２】実公平７−５６４３４号公報
【特許文献３】特開平６−１５８８２８号公報
【特許文献４】特開平６−５４４３１号公報
【発明の開示】
【発明が解決しようとする課題】
【０００９】
本発明は上記の点に鑑みてなされたものであり、その目的とするところは、二重床の床配線システムにおいて、フロアパネルを基礎床の上方の高い位置に配置する必要がなく、配線路がほぼ密閉されると共に配線路の位置が容易に分かり、配線を変更したりする作業を容易に行うことが可能となるものであって、これらのことを既存の床配線システムの支持部材及びフロアパネルを用いて新たに製作する部材を最小限に抑えつつ達成することのできる床配線システムを提供することを課題とするものである。
【課題を解決するための手段】
【００１０】
上記課題を解決するために請求項１に係る発明にあっては、基礎床Ｆ上に高さ調整可能な支持部材１を立設すると共に該支持部材１にフロアパネル２の角部２２ａを載置して主体が構成される床配線システムにおいて、上方に開口して内部に配線５０が収容される収容体３と、該収容体３の上方への開口を隠蔽して上面４０がフロアパネル２の上面２ａと略面一となるカバー４とを前記支持部材１間に架設することで隣り合うフロアパネル２間に配線路５を形成して成ることを特徴とするものである。このような構成とすることで、既存の支持部材１とフロアパネル２とからなる床配線システムを用いて、前記既存の支持部材１とフロアパネル２とを変更することなく新たに収容体３とカバー４とを製作するだけで、後述する作用効果即ち、フロアパネル２を基礎床Ｆの上方の高い位置に配置する必要がなく、配線路５がほぼ密閉されると共に配線路５の位置が容易に分かり、配線５０を変更したりする作業を容易に行うことが可能となるものである。
【００１１】
また、請求項２の発明は、請求項１の発明において、フロアパネル２の基礎床Ｆからの高さ位置が最下限となるように前記フロアパネル２を支持する支持部材１の高さ調整を行った状態で、前記支持部材１に架設される収容体３の下面３０が隙間Ｓを介して基礎床Ｆの上方に位置するように形成して成ることを特徴とするものである。このような構成とすることで、基礎床Ｆの不陸を吸収することが可能となる。
【００１２】
また、請求項３の発明は、請求項１又は２の発明において、カバー４を支持部材１の上端部１３ａに架設すると共に、収容体３を支持部材１の前記カバー４が架設される部分よりも下方に架設して成ることを特徴とするものである。このような構成とすることで、カバー４を配線路５の天蓋と床面の一部として兼用することができて、カバー４を取り外すだけで配線路５内の配線５０を変更することが可能となる。
【００１３】
また、請求項４の発明は、請求項３の発明において、フロアパネル２のフランジ部２２が支持部材１の上端部１３ａに載置されると共にフロアパネル２のパネル本体２１の角部２１ａを逃がす凹部１８を支持部材１に形成したものにおいて、前記支持部材１の凹部１８の底面１８ａに収容体３を載置して成ることを特徴とするものである。このような構成とすることで、既存のフロアパネル２と支持部材１とをそのまま用いて収容体３とカバー４とを配設することが可能となる。
【００１４】
また、請求項５の発明は、請求項１乃至４の発明において、支持部材１の上端部１３ａに該支持部材１に載置されるフロアパネル２及びカバー４の上面２ａ，４０が略面一となるような段差部６１を設けて成ることを特徴とするものである。このような構成とすることで、支持部材１に載置されるフロアパネル２及びカバー４の上面２ａ，４０が略面一となって床面を形成することができる。
【００１５】
また、請求項６の発明は、請求項５の発明において、支持部材１の上端部１３ａに上記段差部６１を形成した緩衝材６を設けて成ることを特徴とするものである。このような構成とすることで、フロアパネル２及びカバー４が支持部材１に当接することによる振動や摩耗の発生を抑えると共に、緩衝材６の取り替えを容易に行うことができる。
【００１６】
また、請求項７の発明は、請求項１乃至６の発明において、カバー４の周縁部に部分的に切欠部４２を設けて成ることを特徴とするものである。このような構成とすることで、カバー４を取り外す際に切欠部４２に工具を挿入してカバー４を取り外すことが可能となって取り外し易くなる。
【００１７】
また、請求項８の発明は、請求項７の発明において、カバー４の周縁部を部分的に下方に折り曲げて折曲部４３を形成すると共に、カバー４の上面４０の折曲部４３が形成されて切欠された部分を上記切欠部４２として成ることを特徴とするものである。このような構成とすることで、カバー４を本体に対して直角に折り曲げてリブ効果により強度を向上しつつ、折り曲げた部分に生じる切欠を工具が挿入可能な切欠部４２とすることができる。
【００１８】
また、請求項９の発明は、請求項１乃至８の発明において、収容体３の内面に載置される載置部７１と、該載置部７１から連設される隔壁部７２とで構成されて配線路５を仕切るセパレータ７ａを設けて成ることを特徴とするものである。このような構成とすることで、簡単な構成のセパレータ７ａにて配線路５を容易に仕切ることができる。
【００１９】
また、請求項１０の発明は、請求項９の発明において、隔壁部７２の上端部７３にカバー４の下面との接触の際に緩衝する緩衝材７４を配設して成ることを特徴とするものである。このような構成とすることで、セパレータ７ａを収容体３とカバー４とで確実に固定することが可能となる。
【００２０】
また、請求項１１の発明は、請求項９又は１０の発明において、セパレータ７に嵌合部（７７）を設けると共に、収容体３に前記嵌合部が嵌合する被嵌合部（３７）を設けて成ることを特徴とするものである。このような構成とすることで、セパレータ７を収容体３に簡単な構成で確実に固定することが可能となる。  
【００２１】
また、請求項１２の発明は、請求項３乃至９の発明において、セパレータ７ｂを収容体３とカバー４との間を上下に仕切るように支持部材１間に略平行に架設して成ることを特徴とするものである。このような構成とすることで、配線路５内のセパレータ７にて仕切られているそれぞれの配線５０が交差部５ｂにおいて互いに干渉するのを避けることができる。
【００２２】
また、請求項１３の発明は、請求項１２の発明において、セパレータ７ｂを支持部材１に形成されたフロアパネル２のパネル本体２１の角部２１ａを逃がす凹部１８の底面１８ａに載置して成ることを特徴とするものである。このような構成とすることで、交差部用のセパレータ７ｂが取り付けられる取付部を設けたりすることなく既存の支持部材１をそのまま用いて交差部用のセパレータ７ｂを配設することができる。
【００２３】
また、請求項１４の発明は、請求項１２又は１３の発明において、セパレータ７ｂの周縁部に湾曲部７６を設けて成ることを特徴とするものである。このような構成とすることで、交差部用のセパレータ７ｂの上側に配設される配線５０が該交差部用のセパレータ７ｂの湾曲部７６を介して側方斜め下方に伸びることとなって、配線５０がセパレータ７ｂのエッジにて損傷するのを防止することができる。
【００２４】
また、請求項１５の発明は、請求項１乃至１４の発明において、隣り合うフロアパネル２間に配設される収容体３及びカバー４を、その収容体３及びカバー４の四個の角部が該収容体３及びカバー４に隣接するフロアパネル２の角部２２ａが載置される四個の支持部材１にそれぞれ載置される直線部用の収容体３ａ及びカバー４ａとして成ることを特徴とするものである。このような構成とすることで、既存の支持部材１とフロアパネル２とをそのまま用いて直線部用の収容体３ａ及びカバー４ａを形成することができる。
【００２５】
また、請求項１６の発明は、請求項１乃至１５の発明において、収容体３ａに配線を側方に引出し可能とする打抜部３４を設けて成ることを特徴とするものである。このような構成とすることで、配線路５内の配線５０を収容体３ａから引出すことが可能となる。
【００２６】
また、請求項１７の発明は、請求項１乃至１４の発明において、配線路５の交差部５ｂに配置される収容体３及びカバー４を、その四個の角部が交差部５ｂの四隅に位置する四個のフロアパネル２の角部２２ａが載置される支持部材１にそれぞれ載置される交差部用の収容体３ｂ及びカバー４ｂとして成ることを特徴とするものである。このような構成とすることで、既存の支持部材１とフロアパネル２とをそのまま用いて交差部用の収容体３ｂ及びカバー４ｂを形成することができる。
【００２７】
また、請求項１８の発明は、請求項１乃至１７の発明において、直線部用の収容体３ａ及びカバー４ａと交差部用の収容体３ｂ及びカバー４ｂとを適宜配して配線路５を形成して成ることを特徴とするものである。このような構成とすることで、配線路５の直線部５ａと交差部５ｂとをそれぞれ直線部用の収容体３ａ及びカバー４ａと交差部用の収容体３ｂ及びカバー４ｂとでほぼ密閉するように形成することができる。
【００２８】
また、請求項１９の発明は、請求項１乃至１８の発明において、収容体３及びカバー４の隙間を閉塞して複数の収容体３及びカバー４からなる配線路５を密閉するため支持部材１に載置される隙間閉塞部材８を設けて成ることを特徴とするものである。このような構成とすることで、火災の際に配線路５への火炎の侵入を阻止して防火性能を向上させることができる。
【００２９】
また、請求項２０の発明は、請求項１乃至１９の発明において、収容体３の端部に該収容体３の端部開口を塞ぐエンドカバーＥを取り付けて成ることを特徴とするものである。このような構成とすることで、収容体３の端部開口を閉塞することができる。
【発明の効果】
【００３０】
本発明にあっては、既存のフロアパネルと支持部材とからなる床配線システムを用いて、前記既存の支持部材とフロアパネルとを変更することなく新たに収容体とカバーとを製作するだけで、フロアパネルを基礎床の上方の高い位置に配置する必要がなく、配線路がほぼ密閉されると共に配線路の位置が容易に分かり、配線を変更したりする作業を容易に行うことが可能となる。
【発明を実施するための最良の形態】
【００３１】
以下、本発明の一実施形態について添付図面に基づいて説明する。
【００３２】
床配線システムは、図３に示すように、建物の床スラブのような基礎床Ｆの上に支持部材１を立設し、この支持部材１にフロアパネル２を載置して床面Ｆ′を形成して二重床が構成されるもので、まず主要部となる支持部材１とフロアパネル２とについて図１乃至図４に基づいて説明する。
【００３３】
フロアパネル２は、平面視略正方形状の板状をしたもので、上面２ａの外周縁部がパネル本体２１から外側方に突出するフランジ部２２となっている。本実施形態では、トップ板Ｔとボトム板Ｂとで外殻が構成される。
【００３４】
トップ板Ｔは、平面視正方形状をした金属製の板で、上面がフロアパネル２の上面２ａとなって床面を形成するものである。ボトム板Ｂは、上方に開口する箱状部と、箱状部の上開口の端縁から外側方に向けて連設される上鍔部とからなり、平面視形状（即ち上鍔部の平面視における外郭形状）がトップ板Ｔと同じ正方形状となるように形成してある。
【００３５】
トップ板Ｔとボトム板Ｂは、平面視において外郭が重なるようにボトム板Ｂの上鍔部の上面とトップ板Ｔの下面とを溶接等によって固定して外殻を構成し、この内部にモルタル等の充填材２３を充填してある。これにより、ボトム板Ｂの箱状部とトップ板Ｔとで囲まれて内部に充填材２３が充填されたパネル本体２１と、ボトム板Ｂの上鍔部とこれに溶着されるトップ板Ｔとで前記パネル本体２１の上端部から外側方に突出するフランジ部２２とが形成される。そして、このフランジ部２２が支持部材１に載置される。
【００３６】
支持部材１は、台座部１１と支柱部１２とパネル支持部１３とで構成される。台座部１１は、平面視略正方形状をした金属板からなる。台座部１１には、四隅に固着具（図示せず）が挿通される貫通孔１４がそれぞれ形成してあり、台座部１１を基礎床Ｆ上に載置した状態で貫通孔１４に上方より固着具を挿通して基礎床Ｆに螺着して、台座部１１を基礎床Ｆに固定するものであるる。台座部１１の中央部からは、上方に向けて支柱部１２が突設される。
【００３７】
支柱部１２は、フロアパネル２を基礎床Ｆより上方に浮いた状態で支持するもので、本実施形態では丸棒の外表面に雄ねじ１５を形成してボルト状に形成してあり、勿論ボルトからなるものであってもよい。この支柱部１２は、溶接等によって台座部１１と一体的に形成してある。そして、支柱部１２の上端部には、後述するパネル支持部１３を高さ調整自在に支持するための支持部１６が設けてある。本実施形態では、支持部１６は支柱部１２の雄ねじ１５に螺合するナットからなり、支柱部１２の任意の高さに螺合した支持部１６にパネル支持部１３を載置することでパネル支持部１３が高さ調整自在に支持される。
【００３８】
パネル支持部１３は、上端面（上端部１３ａ）がフロアパネル２のフランジ部２２が載置されるパネル載置部１７となると共に、下端面１３ｂが上記支柱部１２の支持部１６の上面に載置されるもので、平面視略正方形状の大略角柱状をした本体部に後述する凹部１８を凹設して主体が構成される。
【００３９】
パネル支持部１３の下端面１３ｂの中央部には、上記支柱部１２の上端部が挿入可能な挿入開口（図示せず）が設けてあると共に、下端面１３ｂの前記挿入開口の周辺部が上記支柱部１２の支持部１６の上面に載置される載置面となる。上記支柱部１２の支持部１６よりも上方に突出する部分は、このパネル支持部１３の挿入開口に挿入されて逃がされ、これにより支柱部１２の任意の高さに螺合した支持部１６の上面がパネル支持部１３の下端面１３ｂに当接することとなり、パネル支持部１３の高さが任意に調整自在となる。なお、パネル支持部１３の高さの最下限は、支柱部１２の上端部がパネル支持部１３の挿入開口内の上端に当接した状態での高さとなる。
【００４０】
パネル支持部１３には、本実施形態では、上端部１３ａのパネル載置部１７に四個のフロアパネル２のフランジ部２２が載置される。ここで、パネル支持部１３の上端部１３ａのパネル載置部１７及びパネル支持部１３に形成される凹部１８について説明する。パネル支持部１３は、平面視略正方形状をしたものであるが、その対向する二対の両端辺の中間線Ｌにて平面視四等分に区画され、その一区画１７ａに一個ずつフロアパネル２のフランジ部２２の角部２２ａが載置される（図３参照）。パネル載置部１７に載置されるフランジ部２２は、隣接するフランジ部２２同士がほぼ当接するように殆ど隙間なく載置され、それぞれの角部２２ａの尖先はパネル載置部１７の中央部ｃに位置するが、この状態においてそれぞれのフロアパネル２のパネル本体２１の角部２１ａを逃がすための凹部１８がパネル支持部１３に形成してある。
【００４１】
凹部１８は、平面視でパネル支持部１３の角部から正方形状に凹設されて二側方及び上方に開口するもので、これによりパネル支持部１３の上端部１３ａのパネル載置部１７は平面視略十字状となる。このような凹部１８を設けることにより、パネル支持部１３のパネル載置部１７にフロアパネル２のフランジ部２２が載置された際、図に示すようにパネル本体２１の角部２１ａが凹部１８に収容されてパネル支持部１３と干渉するのを避けることができる。なお、本実施形態では、パネル載置部１７に後述する緩衝材６を設けてこの緩衝材６にフロアパネル２のフランジ部２２を載置している。
【００４２】
また、パネル本体２１の凹部１８に収容される部分に上下に貫通する貫通孔２４が形成してあると共に、この貫通孔２４と平面視で重なるように凹部１８の底面１８ａに固着孔１９が螺設してあり、フランジ部２２がパネル載置部１７に載置されてパネル本体２１が凹部１８に収容された状態でコーナーロックねじ９を貫通孔２４に上方から挿通して固着孔１９に螺着することで、フロアパネル２を支持部材１に固定することができる。
【００４３】
上述したフロアパネル２と支持部材１にあっては、基礎床Ｆの上に支持部材１を立設してこの支持部材１にフロアパネル２を載置することで、二重床を形成して床面下に配線５０を施すもので、このような床配線システムは公知であるが、本発明においてはこの既存の支持部材１とフロアパネル２とを用いて上述したような課題を解決したもので、以下に詳述する。
【００４４】
本発明においては、配線５０はフロアパネル２の下方（即ち平面視においてフロアパネル２と同位置における下方）に配置されるものではなく、隣り合うフロアパネル２間に配設された配線路５に配置される。配線路５は、配線５０が収容される収容体３と、隣り合うフロアパネル２間の隙間を閉塞するカバー４とで形成される。また配線路５は、フロアパネル２間に位置する直線部５ａと、直交する配線路５の交差部５ｂとからなり、このそれぞれに直線部用の収容体３ａ及びカバー４ａと、交差部用の収容体３ｂ及びカバー４ｂとを設けるもので、まず直線部用の収容体３ａ及びカバー４ａについて説明する。
【００４５】
直線部用の収容体３ａは、図５に示すように、平面視における長さがフロアパネル２の一辺の長さと同じで幅がフロアパネル２の一辺の長さよりも短いもので、その長手方向視において上方に開口する略コ字状をした本体部３１ａと、この本体部３１ａの両側壁の上端から外側方に連設される鍔部３２ａと、鍔部３２ａから上方に連設される連設上片３３とからなる。
【００４６】
本体部３１ａは、内部に配線５０が配設されるもので、更に本実施形態では、本体部３１ａの側壁に内部の配線５０を側方に引出し可能とする打抜部３４がノックアウト部として設けてある。これにより、配線路５内の配線５０を直線部用の収容体３ａから引出すことが可能となる。鍔部３２ａは、それぞれ上述したパネル支持部１３の凹部１８の底面１８ａに載置されるもので、これにより直線部用の収容体３ａは両側の鍔部３２ａが支持部材１に架設されて支持部材１間に配線路５が形成される。鍔部３２ａが支持部材１に架設された状態において、本体部３１ａの下面３０と基礎床Ｆとの間に隙間Ｓ（少なくとも１５ｍｍ）が形成されるようにしてある。即ち、パネル支持部１３が高さ調整されて最下限に位置する場合であっても、鍔部３２ａをパネル支持部１３の凹部１８に載置した際に本体部３１が基礎床Ｆに当接することがなく、基礎床Ｆの不陸を吸収することが可能となる。
【００４７】
また、鍔部３２ａには、支持部材１の凹部１８に載置された際に凹部１８の固着孔１９と連通するように挿通孔３５が形成してあり、コーナーロックねじ９が挿通可能となっている。
【００４８】
鍔部３２ａの上記支持部材１の凹部１８の底面１８ａに載置されない部分の先端からは、上方に向けて連設上片３３が連設してある。この連設上片３３は、上端部がカバー４の下面に当接又は近接する略逆Ｌ字状をしたもので、これにより収容体３（３ａ）とカバー４（４ａ）とからなる配線路５がほぼ密閉するようになっている。
【００４９】
直線部用の収容体３ａは、角部（即ち鍔部３２の長手方向の両端部）をそれぞれ支持部材１の凹部１８の底面１８ａに載置して支持部材１間に架設するもので、本実施形態では、隣接する両側のフロアパネル２の該直線部用の収容体３ａ側の二角部２２ａが載置される支持部材１にそれぞれ角部を載置し、合計四個の支持部材１にて一個の直線部用の収容体３ａが架設される。
【００５０】
直線部用のカバー４ａは、図６に示すように、長さが収容体３と同じ長さ（即ちフロアパネル２の一辺の長さ）で、幅が、架設される両側の支持部材１の中心部間の距離（即ち該直線部用のカバー４ａと幅方向に隣接する両フロアパネル２間の距離）とほぼ同じ長さの板状に形成してある。
【００５１】
直線部用のカバー４ａ（及び後述する交差部用のカバー４ｂ）の周縁部には、部分的に切欠部４２を設けてあり、カバー４ａ，４ｂを取り外す際に切欠部４２に工具等を挿入してカバー４ａ，４ｂを起こすことができて取り外し易くなっている。更に、本実施形態では、カバー４ａ，４ｂの周縁部を部分的に下方に折り曲げて折曲部４３を形成し、この折曲部４３が形成されて切欠が生じた部分を切欠部４２（本実施形態では隙間幅０．５〜１．０ｍｍ）としてある。これにより、カバー４ａ，４ｂを本体に対して直角に折り曲げてリブ効果により強度を向上しつつ、折り曲げた部分に生じる切欠を工具が挿入可能な切欠部４２にでき、カバー４ａ，４ｂの取り外しに必要な工具を特に用意する必要がなく、カバー４ａ，４ｂの取り外しに要するのはコーナーロックねじ９を外すドライバー一種類で済む。また、カバー４ａ，４ｂの周縁部に指が挿入可能な指挿入用の切欠部４４が形成してあり、より一層カバー４の取り外しが容易となる。
【００５２】
また、この直線部用のカバー４ａにおいては、図７に示すように、折曲部４３の下端部を更に内側に折り曲げてリブ部４５としてもよく、これによって、直線部用のカバー４ａの上面踏付時の変形量を減少させて、歩行時の安定感を向上させることができる。
【００５３】
この直線部用のカバー４ａは、直線部用の収容体３ａが架設される支持部材１と同じ支持部材１の上端部１３ａのパネル載置部１７に載置される。本実施形態では、フロアパネル２と同様に、パネル載置部１７に緩衝材６を設けてこの緩衝材６に直線部用のカバー４ａ（及び交差部用のカバー４ｂ）を載置し、フロアパネル２及びカバー４ａ，４ｂが支持部材１に当接することによる振動や摩耗の発生を抑えるものである。更に本実施形態では、直線部用のカバー４ａ（及び交差部用のカバー４ｂ）はフロアパネル２のフランジ部２２の厚みよりも厚く形成してあり、フランジ部２２が載置される緩衝材６の厚みをカバー４ａ，４ｂが載置される緩衝材６の厚みよりも厚く形成し、フランジ部２２が載置された緩衝材６とフランジ部２２とを合わせた厚みと、カバー４ａ，４ｂが載置された緩衝材６とカバー４ａ，４ｂとを合わせた厚みが同じになるように形成してある。これにより、支持部材１のパネル載置部１７に緩衝材６を介して載置されたフロアパネル２とカバー４ａ，４ｂのそれぞれの上面２ａ，４０がパネル載置部１７から同じ高さとなる。
【００５４】
本実施形態では、平面視における形状がパネル載置部１７と同じ平面視略十字状をした緩衝材６をパネル載置部１７に載置してある。緩衝材６は、図１１に示すように、パネル載置部１７の四個の区画１７ａ分を一体に形成してあり、各区画１７ａに対応する部分６０を上述した所定の厚みになるように段差６１を形成してある。このように緩衝材６を一体に形成することで、緩衝材６の取り替えを容易に行うことができる。図１１（ａ）に直線部用のカバー４ａ二個とフロアパネル２二個が載置される支柱部１２材のパネル載置部１７に載置する緩衝材６を、図１１（ｂ）に直線部用のカバー４ａ二個と交差部用のカバー４ｂ一個及びフロアパネル２一個が載置される支持部材１のパネル載置部１７に載置する緩衝材６を示す。
【００５５】
また、直線部用のカバー４ａの角部の上記支持部材１の凹部１８の固着孔１９に対応する位置にコーナーロックねじ９が挿通される貫通孔３５が形成してあり、フロアパネル２と同様にコーナーロックねじ９にて支持部材１に固定することができる。
【００５６】
次に、交差部用の収容体３ｂ及びカバー４ｂについて説明する。
【００５７】
交差部用の収容体３ｂは、図８に示すように、平面視において一辺の長さが直線部用の収容体３ａの幅とほぼ同じ長さの略正方形状をしたもので、配線が収容される本体部３１ｂと、本体部３１ｂの側壁の上端から外側方に連設される鍔部３２ｂとからなり、四方から直線部用の収容体３ａの端部が接続される。本実施形態では、直線部用の収容体３ａの本体部３１ａ及び鍔部３２ａと同様の断面形状の本体部３１ｂ及び鍔部３２ｂをその長手方向の長さが交差部用の収容体３ｂの長さとなるように形成し、その長手方向の中央部において、直線部用の収容体３ａの本体部３１ａの幅とほぼ同じ長さだけ本体部３１ｂの両側の側壁と鍔部３２ｂとを除去して接続口を形成したような形状となっている。
【００５８】
鍔部３２ｂは、交差部用の収容体３ｂの四角部にのみ位置し、それぞれ上述したパネル支持部１３の凹部１８の底面１８ａに載置されるもので、前記交差部の四角部に位置する四個のフロアパネル２の角部２２ａが載置される支持部材１にそれぞれ角部が載置され、合計四個の支持部材１にて一個の交差部用の収容体３ｂが架設される。そして、交差部用の収容体３ｂと直線部用の収容体３ａは支持部材１間に架設された状態において、交差部用の本体部３１ｂの側壁の接続口３６と、直線部用の収容体３ａの本体部３１ａの側壁の長手方向端部とが当接又は近接して側壁がほぼ連続するとともに、本体部３１ａ，３１ｂの底面が連続している。
【００５９】
交差部用のカバー４ｂは、図９に示すように、平面視正方形状の板状をしたもので、その一辺の長さは直線部用の収容体３ａの幅と同じ長さに形成してある。この交差部用のカバー４ｂも直線部用のカバー４ａと同様に支持部材１の上端部１３ａのパネル載置部１７に緩衝材６を介して載置される。なお、交差部用の収容体３ｂ及びカバー４ｂの説明において、直線部用の収容体３ａ及びカバー４ｂと同様の部分については図中に同符号を付して説明は省略している。この交差部用のカバー４ｂにおいても、図１０に示すように、折曲部４３の下端部を更に内側に折り曲げてリブ部４５としてもよく、これによって、交差部用のカバー４ｂの上面踏付時の変形量を減少させて、歩行時の安定感を向上させることができる。
【００６０】
このような収容体３及びカバー４を設けるには、まず、フロアパネル２と配線路５のレイアウト（配置）を決定し、このレイアウトに基づいて基礎床Ｆに支持部材１を立設する。なお、通常は配線路５の幅方向の両側にはともにフロアパネル２が隣接するように配置して、配線路５が並設するようなレイアウトにすることはなく、また、フロアパネル２はフロアパネル２同士が隣接するように配置しても勿論よいものである。本実施形態では、図３に示すように一個のフロアパネル２と一本の配線路５とを交互に配置したレイアウトとしてあり、このように予め多くの配線路５を設けておくことで、後でレイアウトの変更をしなくても所望の配線を施すことが可能となる。そして、立設した支持部材１にフロアパネル２と収容体３及びカバー４とを上述したように載置、架設していくものである。
【００６１】
配線５０を変更する際は、配線５０が収容される配線路５のカバー４を取り外して配線５０を取り出したり、配線５０を収容する配線路５のカバー４を取り外して配線５０を収容体３内に収容し、再びカバー４を取り付けて配線路５を閉塞するものである。
【００６２】
また、支持部材１と収容体３とを導通してアースをとる場合には、図２０、図２１に示すように、支持部材１の凹部１８の底面に形成したアースねじ孔１０を形成するとともに収容体３の鍔部３２の前記アースねじ孔１０に対応する部分に挿通孔３９を形成し、収容体３の鍔部３２を支持部材１の凹部１８の底面に載置して挿通孔３９とアースねじ孔１０とが連通した状態で上方から金属等からなり導電性を有するアースねじ９１を挿通してアースねじ孔１０に螺着することで、導通を図る。なお、鍔部３２が載置される凹部１８の底面にゴム等の不導体からなる緩衝材を載置しておく場合には、この緩衝材の前記アースねじ孔１０（及び挿通孔３９）に対応する位置に貫通孔を形成してアースねじ９１が貫通可能となるようにする。これにより、支持部材１と収容体３とをアースねじ９１を介して導通してアースを確実に行えるとともに、支持部材１と収容体３とをアースねじ９１にて強固に固定することもできるものである。
【００６３】
以上のような床配線システムにあっては、配線路５をフロアパネル２間に配設したことで、従来のフロアパネル２の下方にダクト部材からなる配線路５を配設するもののようにフロアパネル２と配線路５とが上下に位置することとなってフロアパネル２を基礎床Ｆの上方の高い位置に敷設する必要が生じたりすることがなく、床面Ｆ′の基礎床Ｆからの高さを低くすることができる。また、配線路５はカバー４の下側に位置し、カバー４はフロアパネル２と形状が異なって床面Ｆ′を見た際にカバー４の位置が一見して分かるため、配線路５の位置も一見して分かって配線路５の位置が分からずに取り外す必要のないフロアパネル２まで取り外してしまうのを防止し、作業の際に手間がかからない。また、配線路５は収容体３及びカバー４、支持部材１とでほぼ密閉された状態となるため、火災の際に配線路５に火炎が入り込むのを阻止して防火することができる。
【００６４】
また、カバー４を支持部材１の上端部１３ａのパネル載置部１７に架設し、収容体３を支持部材１のパネル載置部１７よりも下方（即ち本実施形態では支持部材１の凹部１８の底面１８ａ）に架設するようにしたことで、例えば、収容体３をカバー４と同じく支持部材１の上端部１３ａに載置するようにした場合、パネル載置部１７に収容体３とカバー４とが重なるように載置されることとなって、フロアパネル２の上面２ａとカバー４の上面４０とを面一にしようとした際に収容体３とカバー４の前記上端部１３ａへの載置部分を薄くせざるを得ず、収容体３とカバー４の強度を確保するための手段を新たに講じる必要が生じるところを、本実施形態では収容体３とカバー４とを異なる部分にそれぞれ個別に載置することができて、特に収容体３とカバー４の強度を特に確保する必要がない等、取り合いから生じる不都合を低減することができる。また、カバー４を配線路５の天蓋と床面の一部とを兼用することができて、配線を変更する際に従来のフロアパネル２の下方にダクト部材からなる配線路５を配設するもののようにフロアパネル２を取り外して更にダクト部材の蓋を取り外したりする必要がなく、カバー４を取り外すだけで配線路５内の配線を変更することができる。
【００６５】
そして更に、既存の床パネルと支持部材１とからなる床配線システムにおいて、カバー４を支持部材１のフロアパネル２を載置するためのパネル載置部１７に載置すると共に、収容体３を支持部材１の凹部１８の底面１８ａに載置して配線路５を形成してあり、配線路５を形成するための収容体３とカバー４とを新たに製作するだけで、既存の支持部材１とフロアパネル２とに何ら変更を加えることなく上述した様々な作用効果が得られ、現場のニーズや状況に応じたシステム変更（配線路５のレイアウトの変更、配線路５の無い既設システムへの追加、配線路５のある既設システムからの省略、配線路５のない既設システムへの配線路５の部分的な配置、等）が可能となり、配線路５の有無にかかわらず、基本構成部材（即ち支持部材１とフロアパネル２）を共用できて効率化が図られる。
【００６６】
上述した床配線システムにおいては、配線路５内を仕切るセパレータ７を設けてもよい。セパレータ７には、直線部用の収容体３ａと交差部用の収容体３ｂとにそれぞれ配設される直線部用のセパレータ７ａと交差部用のセパレータ７ｂとがある。
【００６７】
直線部用のセパレータ７ａは、図１２に示すように載置部７１と隔壁部７２とからなる側面視略Ｌ字状をしたものである。載置部７１は、直線部用の収容体３ａの本体部３１の底面１８ａに載置される板状をしたもので、長手方向の長さは前記直線部用の収容体３ａの長手方向の長さとほぼ同じで、幅方向の長さは収容体３の本体部３１の底面１８ａの幅方向の略半分の長さに形成してある。この載置部７１は、幅方向の一端部が収容体３の本体部３１の内壁面に当接した状態で収容体３の本体部３１の底面に載置され、この時に収容体３の本体部３１の幅方向中央部に位置する他端部から隔壁部７２が立設される。
【００６８】
隔壁部７２は、上端部がカバー４の下面近傍に位置する板状をしたもので、長さは載置部７１と同じ長さとなっている。本実施形態では上端部を横方向に折り曲げて緩衝材７４の載置部７３を形成してあり、図１等に示すように、載置部７３に緩衝材７４を載置してカバー４の下面で緩衝材７４を押圧する状態で配設され、配線路５を左右に仕切るものである。このような簡単な構成のセパレータ７ａにて配線路５を容易に仕切ることができ、また、緩衝材７４を設けてカバー４と収容体３とでセパレータ７を挟着するようにしたことで、セパレータ７が配線路５内で倒れたりしないように確実に固定することができると共に、カバー４ａの撓みを軽減することも可能となる。
【００６９】
また直線部用のセパレータ７ａは、直線部用の収容体３ａに対して嵌合により取り付けるようにしてもよい。これは図１３に示すように、直線部用のセパレータ７ａの載置部７１の長手方向の端部の一部（又は全部）を下方に折り曲げて嵌合部としての爪部７７を形成するとともに、直線部用の収容体３ａの前記爪部７７に対応する部分に該爪部７７が挿通する被嵌合部としてのスリット３７を形成してある。そして、図１４（ａ）に示すように直線部用のセパレータ７ａの載置部７１を直線部用の収容体３ａの底面に載置しての爪部７７をスリット３７に挿通嵌合することで、簡単な構成でセパレータ７ａを直線部用の収容体３ａに確実に固定することができる。またこの時さらに、図１４（ｂ）に示すように、スリット３７に挿通した爪部７７の先端をペンチ等の工具で折り曲げてこの爪部７７がスリット３７から抜けるのを防止してもよい。なお、このスリット３７の長さは爪部７７の長さよりも長く形成してあって、爪部７７をスリット３７内の任意の位置に嵌合でき、セパレータ７ａを直線部用の収容体３ａの巾方向の一定範囲内でずらして配置することができる。また、スリット３７を収容体３ａのほぼ全巾に亘って形成することで、爪部７７をスリット３７の全巾内の任意の位置に嵌合できることとなる。
【００７０】
次に、交差部用のセパレータ７ｂについて説明する。交差部用のセパレータ７ｂは、図１５に示すように平面視略正方形状の板状をしたもので、その四角部が交差部用の収容体３ｂの鍔部３２ｂを介して支持部材１のパネル支持部１３の凹部１８の底面１８ａに載置される。また、支持部材１のパネル支持部１３の凹部１８の固着孔１９に対応する位置にコーナーロックねじ９が挿通可能な貫通孔７５が形成してある。また、セパレータ７の上記パネル支持部１３の凹部１８に載置されない周縁部には、側方斜め下方にＲを帯びて下方に凹となる湾曲部７６が連設してあり、交差部用のセパレータ７ｂの上側に配設される配線５０が該交差部用のセパレータ７ｂの湾曲部７６を介して側方斜め下方に伸びることとなって、配線５０がセパレータ７ｂのエッジにて損傷するのを防止することができる。この交差部用のセパレータ７ｂを略水平となるように支持部材１間に架設することで配線路５の交差部５ｂを上下に仕切ることができる。セパレータ７は、仕切られた配線路５内の配線５０を変更したりする作業の作業性を向上すべく上下ではなく左右に仕切るのが好ましいため、直線部５ａにおいては左右に仕切るようにしてあるが、交差部５ｂにおいては上下に仕切ってそれぞれの配線５０の干渉を避けるものである。また、この交差部用のセパレータ７ｂを支持部材１のパネル支持部１３の凹部１８の底面１８ａに載置するようにしたことで、交差部用のセパレータ７ｂの取付部等を設けることなく既存の支持部材１をそのまま用いて交差部用のセパレータ７ｂを設けることができる。
【００７１】
また交差部用のセパレータ７ｂは、交差部用の収容体３ｂに対して嵌合により取り付けるようにしてもよい。これは図１６に示すように、略平面視略正方形状をした水平板状の隔壁部７２の対向する辺から載置部７１を連設してある。載置部７１は、隔壁部７２の略下方（本例では下方程やや外側に傾斜する方向）に連設される連設片７１ａと、連設片７１ａの下端から外側に略水平に連設されて交差部用の収容体３ｂの底面に載置される載置片７１ｂとからなる。また、隔壁部７２には、載置部７１を連設していない対向する辺から上方に上方連設部７８を設けるとともに、対向する上方連設部７８間にこれに平行に二つの仕切部７９が連設してあり、隔壁部７２によって仕切られる上側の部分を更に仕切ることができる。
【００７２】
そして、一対の載置部７１の載置片７１ｂの先端部の一部（又は全部）を下方に折り曲げて嵌合部としての爪部７７を形成するとともに、交差部用の収容体３ｂの前記爪部７７に対応する部分に該爪部７７が挿通する被嵌合部としてのスリット３７を形成してある。但し、交差部用の収容体３ｂに対応する部分とは、交差部用のセパレータ７ｂの向きを９０°回転させた場合でも対応可能なように交差部用の収容体３ｂの略平面視略正方形状をした隔壁部７２の四辺にそれぞれ形成してある。そして、図１４（ａ）に示すように交差部用のセパレータ７ｂの載置部７１を交差部用の収容体３ｂの底面に載置して爪部７７をスリット３７に挿通嵌合することで、簡単な構成で交差部用のセパレータ７ｂを交差部用の収容体３ｂに確実に固定することができる。またこの時さらに、図１４（ｂ）に示すように、スリット３７に挿通した爪部７７の先端をペンチ等の工具で折り曲げてこの爪部７７がスリット３７から抜けるのを防止してもよい。
【００７３】
また、収容体３の端部に該収容体３の端部開口を塞ぐエンドカバーＥを取り付けてもよい。エンドカバーＥは、図１７乃至図１９に示すように、該収容体３の底面に載置される水平片とこの水平片から上方に連設される垂直片とからなる略Ｌ字状をしたもので、水平片から下方に爪部Ｅ１を突設してあって、この爪部Ｅ１を収容体３に形成したスリット３７に嵌合することで、収容体３に取り付けられる。このものにあっては、図１７に示すように、直線部用の収容体３ａの端部のスリット３７にエンドカバーＥを取り付けたり、図１８に示すように交差部用の収容体３ｂに一つのエンドカバーＥを取り付けてＴ字状の配線路を形成したり、あるいは図１９に示すように一つの交差部用の収容体３ｂの隣接する二つのスリット３７にエンドカバーＥを取り付けてＬ字状の配線路を形成してもよい。これにより、収容体３に形成したセパレータ７取り付け用のスリット３７を兼用してエンドカバーＥを取り付けることが可能となり、簡単な構成で収容体３の端部開口を閉塞することができる。
【００７４】
また、本実施形態では、配線路５をほぼ密閉した状態とするため、隙間閉塞部材８を設けてある。本実施形態では、隙間閉塞部材８は図２２に示すように、交差部用の収容体３ｂと直線部用の収容体３ａとの間に形成される隙間を閉塞するものである。交差部用の収容体３ｂの本体部３１ｂの側壁は、交差する配線路５のうちの一方の直線部用の収容体３ａの本体部３１ａの側壁に沿って配置され、他方の直線部用の収容体３ａの本体部３１ａの側壁の部分に隙間が生じるものであるが、この隙間を隙間閉塞部材８にて閉塞するものである。この隙間閉塞部材８は、直線部用の収容体３ａの本体部３１及び鍔部３２とほぼ同じ断面形状を有する閉塞部材本体８１と閉塞部材鍔部８２とからなる。閉塞部材鍔部８２は支持部材１のパネル支持部１３の凹部１８の底面１８ａに載置され、前記凹部１８の底面１８ａの固着孔１９に対応する位置にコーナーロックねじ９が挿通される貫通孔又は開口が形成してあり、支持部材１からの脱落が防止される。このようにすることで、配線路５をほぼ密閉することができ、火災の際に火炎の侵入を阻止して防火性能を向上させることができる。
【図面の簡単な説明】
【００７５】
【図１】本発明の床配線システムの一実施形態の配線路の直線部の側断面図である。
【図２】同上の配線路の交差部の側断面図である。
【図３】同上の全体斜視図である。
【図４】同上の分解斜視図である。
【図５】同上の直線部用の収容体の斜視図である。
【図６】同上の直線部用のカバーの斜視図である。
【図７】同上の直線部用のカバーの他例であり（ａ）は斜視図であり、（ｂ）は断面図である。
【図８】同上の交差部用の収容体の斜視図である。
【図９】同上の交差部用のカバーの斜視図である。
【図１０】同上の交差部用のカバーの他例であり（ａ）は斜視図であり、（ｂ）は断面図である。
【図１１】同上の緩衝材を示す斜視図であり、（ａ）はカバー二個とフロアパネル二個が載置される支持部材に載置する緩衝材であり、（ｂ）はカバー三個とフロアパネル一個が載置される支持部材に載置する緩衝材である。
【図１２】同上の直線部用のセパレータの斜視図である。
【図１３】同上の直線部用のセパレータと収容体の他例の斜視図である。
【図１４】（ａ）（ｂ）は同上のセパレータの取り付けを説明する断面図である。
【図１５】同上の交差部用のセパレータの斜視図である。
【図１６】同上の交差部用のセパレータの他例と収容体の斜視図である。
【図１７】エンドカバー一つを直線部用の収容体に取り付ける状態の斜視図である。
【図１８】エンドカバー一つを交差部用の収容体に取り付ける状態の斜視図である。
【図１９】エンドカバー二つを交差部用の収容体に取り付ける状態の斜視図である。
【図２０】支持部材と収容体のアース構造を説明する斜視図である。
【図２１】同上の断面図である。
【図２２】同上の隙間閉塞部材の斜視図である。
【図２３】従来の床配線システムの側断面図である。
【符号の説明】
【００７６】
１  支持部材
２  フロアパネル
２ａ  上面
２２ａ  角部
３  収容体
４  カバー
４０  上面
５  配線路
Ｆ  基礎床
【図１】
2004293288.tif 000003
【図２】
2004293288.tif 000004
【図３】
2004293288.tif 000005
【図４】
2004293288.tif 000006
【図５】
2004293288.tif 000007
【図６】
2004293288.tif 000008
【図７】
2004293288.tif 000009
【図８】
2004293288.tif 000010
【図９】
2004293288.tif 000011
【図１０】
2004293288.tif 000012
【図１１】
2004293288.tif 000013
【図１２】
2004293288.tif 000014
【図１３】
2004293288.tif 000015
【図１４】
2004293288.tif 000016
【図１５】
2004293288.tif 000017
【図１６】
2004293288.tif 000018
【図１７】
2004293288.tif 000019
【図１８】
2004293288.tif 000020
【図１９】
2004293288.tif 000021
【図２０】
2004293288.tif 000022
【図２１】
2004293288.tif 000023
【図２２】
2004293288.tif 000024
【図２３】
2004293288.tif 000025